(57)【要約】  【課題】陰茎保持筒に陰茎を挿入して保持する男性用下着において外への尿等の体液の漏れを防止することを目的とする。  【解決手段】男性用下着１は、下着本体１０と、下着本体１０の内側において前後方向に延在するように下着本体１０に連結されて設置された、装着時に内部に挿入された陰茎を保持する陰茎保持筒２０であって、その筒側面に、陰茎を挿入するための陰茎挿入口２１と、陰茎挿入口２１から内部に挿入された陰茎の先端を露出させるための露出口２３，２５と、が形成された陰茎保持筒２０と、陰茎保持筒２０よりも径が大きくて短い、吸水性を有する布製のカバー筒であって、陰茎保持筒２０がその内部を貫通し、陰茎保持筒２０に対してスライド自在に被せられた布製カバー筒４０と、を備える。【選択図】図１
2018145565.tif 000002
【特許請求の範囲】
【請求項１】
下着本体と、
前記下着本体の内側において前後方向に延在するように前記下着本体に連結されて設置された、装着時に内部に挿入された陰茎を保持する陰茎保持筒であって、その筒側面に、前記陰茎を挿入するための陰茎挿入口と、前記陰茎挿入口から内部に挿入された前記陰茎の先端を露出させるための露出口と、が形成された陰茎保持筒と、
前記陰茎保持筒よりも径が大きくて短い、吸水性を有する布製のカバー筒であって、前記陰茎保持筒がその内部を貫通し、前記陰茎保持筒に対してスライド自在に被せられた布製カバー筒と、
を備えることを特徴とする男性用下着。
【請求項２】
前記陰茎保持筒は、その前端と後端とが前記下着本体に連結されると共に、前記前端と前記後端との少なくとも一方が前記下着本体に対して着脱可能であり、前記布製カバー筒が交換可能であることを特徴とする請求項１記載の男性用下着。
【請求項３】
前記陰茎保持筒は、前記露出口として、
前記陰茎挿入口の前方に形成された、装着時に前記陰茎挿入口から前方上向きに挿入された前記陰茎の先端を露出させるための上向き露出口と、
前記陰茎挿入口の後方に形成された、装着時に前記陰茎挿入口から後方下向きに挿入された前記陰茎の先端を露出させるための下向き露出口と、
の少なくとも一方を備えることを特徴とする請求項１又は２記載の男性用下着。
【発明の詳細な説明】
【技術分野】
【０００１】
本発明は、男性用下着に関する。
【背景技術】
【０００２】
従来から、快適さ等の機能や見た目の美観を追求するために、男性の下半身用下着として様々な形態の下着が提供されているが、通常は、重力によって下向きになった陰茎を自然な状態で保持する下着がほとんどである。
【０００３】
ここで、本発明者らは、陰茎保持筒である筒型布状部材に挿入した状態で陰茎を股間に押しつけてしっかりと安定して保持するという、新規な陰茎固定方法を実現するための男性用下着（陰茎保持具）を提供しており、例えば、下記特許文献１〜３に開示している。
【０００４】
一方、高齢になると、筋力の低下等により、経度の尿失禁、いわゆる尿漏れが起こりやすくなる。このような尿漏れに対応するために、陰茎に装着する大人用のおむつ（受尿器具）が提供されており、例えば、下記特許文献４に開示されている。
【先行技術文献】
【特許文献】
【０００５】
【特許文献１】特許第４１７７４４８号公報
【特許文献２】登録実用新案第３１４３２８５号公報
【特許文献３】特許第４７３３２０２号公報
【特許文献４】特開第２００６−３４５４５号公報
【発明の概要】
【発明が解決しようとする課題】
【０００６】
ところが、特許文献４に開示された受尿器具を特許文献１〜３に開示された陰茎保持筒を備える男性用下着と組合せて使用することはできず、従来、上記男性用下着を装着する際に尿漏れを防ぐのは困難であった。
【０００７】
本発明は、このような課題に鑑みてなされたものであり、陰茎保持筒に陰茎を挿入して保持する男性用下着において外への尿等の体液の漏れを防止することを目的とする。
【課題を解決するための手段】
【０００８】
上記課題を解決するための本発明に係る男性用下着は、下着本体と、前記下着本体の内側において前後方向に延在するように前記下着本体に連結されて設置された、装着時に内部に挿入された陰茎を保持する陰茎保持筒であって、その筒側面に、前記陰茎を挿入するための陰茎挿入口と、前記陰茎挿入口から内部に挿入された前記陰茎の先端を露出させるための露出口と、が形成された陰茎保持筒と、前記陰茎保持筒よりも径が大きくて短い、吸水性を有する布製のカバー筒であって、前記陰茎保持筒がその内部を貫通し、前記陰茎保持筒に対してスライド自在に被せられた布製カバー筒と、を備えることを特徴とする。
【発明の効果】
【０００９】
本発明に係る男性用下着によれば、男性用下着の装着時に、陰茎保持筒により保持された陰茎の先端を布製カバー筒で被うことができるので、外への尿等の体液の漏れを防止することができる。
【図面の簡単な説明】
【００１０】
【図１】図１は、本実施形態に係る男性用下着の斜視図である。
【図２】図２は、本実施形態に係る陰茎保持筒の斜視図である。
【図３】図３は、本実施形態に係る陰茎保持筒を延ばした状態の断面図である。
【図４】図４は、本実施形態に係る男性用下着の装着状態を示す図である。
【図５】図５は、本実施形態に係る男性用下着の装着状態を示す図である。
【図６】図６は、本実施形態の変形例１に係る男性用下着の斜視図である。
【図７】図７は、本実施形態の変形例２に係る男性用下着の斜視図である。
【発明を実施するための形態】
【００１１】
以下、図面を参照しながら、本発明の実施形態について説明する。図１は、本実施形態に係る男性用下着の斜視図である。図２は、本実施形態に係る陰茎保持筒の斜視図である。図３は、本実施形態に係る陰茎保持筒を延ばした状態の断面図である。
【００１２】
男性用下着１は、ブリーフパンツ型の下着本体１０と、下着本体１０内に設置される陰茎保持筒２０と、布製筒カバー４０とを備えている。下着本体１０は、高い伸縮性を有するストッキング素材製である。
【００１３】
陰茎保持筒２０は、同じく高い伸縮性を有するストッキング素材で構成された筒形の部材であり、装着時にはその内部に陰茎が挿入されて、陰茎を保持する。陰茎保持筒２０は、2枚の長方形状のストッキング素材の両縁等を縫い合わせて筒形に構成されている。
【００１４】
陰茎保持筒２０は、下着本体１０内において、中心を通って前後方向に延在して設置されており、その前端は下着本体１０の前側面の上部付近に連結され、その後端は下着本体１０の後側面の中央付近に連結されている。陰茎保持筒２０は下着本体１０に対して縫い付けにより連結固定されている。
【００１５】
陰茎保持筒２０の筒側面には、筒側面に切れ込みを入れたり、ストッキング素材を一部切り取ったりすることで、3つの開口２１，２３，２５が形成されており、前側から順に第二開口２３、第一開口２１、第三開口２５が形成されている。第一開口２１と第二開口２３は、陰茎保持筒２０の上面側に形成されており、第三開口２５は、陰茎保持筒２０の下面側に形成されている。
【００１６】
第一開口２１は、前後方向において、中央よりも少し前側寄りに形成されており、人体への装着時には、陰茎を挿入する開口、すなわち陰茎挿入口として機能する。第一開口（陰茎挿入口）２１から筒内に挿入された陰茎は、第一開口２１から前方に向けて上向きに挿入することも可能であるし、第一開口２１から後方に向けて下向きに挿入することも可能である。
【００１７】
第二開口２３は、陰茎保持筒２０の前端近くに位置し、人体への装着時には、第一開口（陰茎挿入口）２１から前方上向きに挿入された陰茎の先端の露出口、すなわち、上向き露出口として機能する。
【００１８】
第三開口２５は、陰茎保持筒２０の後端近くに位置し、人体への装着時には、第一開口（陰茎挿入口）２１から後方下向きに挿入された陰茎の先端の露出口、すなわち、下向き露出口として機能する。
【００１９】
このように、陰茎保持筒２０には、第一開口（陰茎挿入口）２１の前方に第二開口（上向き露出口）２３が形成され、後方に第三開口（下向き露出口）２５が形成されており、装着時に陰茎保持筒２０内に挿入されて保持される陰茎は、前方上向き保持及び後方下向き保持の何れの保持態様であっても、その先端亀頭部分を第二開口２３又は第三開口２５の何れの開口から外に露出させることができる。もちろん、陰茎保持筒２０のサイズや伸長度合い等によっては、陰茎の先端が開口２３，２５から露出しない場合もある。
【００２０】
布製筒カバー４０は、吸水性を有するネル生地製の筒体である。布製筒カバー４０の筒全長は、陰茎保持筒２０の筒全長の半分程度であり、布製筒カバー４０の直径は、陰茎保持筒２０の直径の1.5倍程度である。すなわち、布製筒カバー４０は、陰茎保持筒２０よりも径が大きくて短い。
【００２１】
布製筒カバー４０は、同筒軸の二重筒構造となるように陰茎保持筒２０に被せられると共に、陰茎保持筒２０に対して縫い付け等により固定されていない。すなわち、布製筒カバー４０の内部には陰茎保持筒２０が貫通し、布製筒カバー４０は、陰茎保持筒２０に対して筒軸方向（前後方向）にスライド自在である。
【００２２】
よって、人体への装着時、陰茎を陰茎保持筒２０に挿入して保持した後、布製筒カバー４０をスライドさせることで、第二開口２３又は第三開口２５から露出した亀頭に被せることができる。このように、陰茎先端に吸水性のある布製筒カバー４０を被せておくことで、陰茎先端の尿道から尿等の体液が漏れた場合であっても吸収することができ、外への漏れを防ぐことができる。
【００２３】
以上、男性用下着１の構成について説明したが、続いて、男性用下着１の装着手順について説明する。まず、陰茎を後方下向きに陰茎保持筒２０に保持させる場合の装着手順について説明する。図４は、本実施形態に係る男性用下着の装着状態を示す図であり、陰茎を後方下向きに保持する場合を示している。
【００２４】
装着にあたっては、まず、装着者が下着本体１０に装着者の両足を通し、下着本体１０を腰近くまで引き上げる。続いて、布製筒カバー４０の全体を第一開口２１よりも前方にスライドさせて、第一開口２１を露出させる。この状態で、陰茎の先端を第一開口２１から陰茎保持筒２０の内部に挿入する。
【００２５】
挿入の際には、装着者は、第一開口２１を広げながら陰茎が筒内部に入るように陰茎保持筒２０を陰茎に被せる。このとき、第一開口２１から後方（第三開口２５）に向かうように陰茎を陰茎保持筒２０内に挿入する。
【００２６】
陰茎保持筒２０内に陰茎が挿入されると、高い伸縮性を有する陰茎保持筒２０のストッキング素材が陰茎に密着するため、その径を広げながら、適宜陰茎保持筒２０を陰茎に対して移動させて陰茎の保持位置を調整する。
【００２７】
陰茎保持筒２０から陰茎が抜けないようにしっかり保持するため、亀頭全体が第三開口２５から露出するまで陰茎を筒内に挿入する。これにより、露出した亀頭が陰茎保持筒２０内に戻ろうとしても、カリ首が第三開口２５の周縁に引っ掛かって容易に戻ることができない。
【００２８】
陰茎挿入後、前方にずらしていた布製筒カバー４０を後方にスライドさせ、第三開口２５から露出した亀頭全体を覆う位置へと移動させる。その後、下着本体１０を腰の位置まで引き上げることで、男性用下着１の装着が完了する。なお、上述した装着手順は一例を示しただけであり、適宜他の手順でも装着できることは言うまでもない。
【００２９】
このように、本実施形態では、陰茎保持筒２０に保持された陰茎の露出部分である亀頭を布製筒カバー４０で覆うことができるので、微量の尿等の体液の漏れがあった場合でも布製筒カバー４０によりそれらを吸収し、ズボン等の男性用下着１の外への漏れを防止することができる。布製筒カバー４０は、ネル生地製の軟らかい素材から構成されており、ソフトで心地良い装着感を実現できる。
【００３０】
また、布製筒カバー４０は、陰茎保持筒２０に対してスライド自在であり、陰茎保持筒２０及び布製筒カバー４０の装着も容易に行うことができる。また、放尿を行う際には、布製筒カバー４０を前方にスライドさせて、亀頭を露出させ、下着本体１０の股布（クロッチ）部分を横にずらせば、陰茎保持筒２０に陰茎を後方下向きに保持させたまま下着本体１０を脱ぐことなく排尿を行うこともできる。
【００３１】
次に、陰茎を前方上向きに陰茎保持筒２０に保持させる場合の装着手順について説明する。図５は、本実施形態に係る男性用下着の装着状態を示す図であり、陰茎を前方上向きに保持する場合を示している。
【００３２】
陰茎を前方上向きに保持する場合も陰茎を陰茎保持筒２０内に挿入するステップ以外の手順は上述した後方下向きに保持する場合と同じである。挿入にあたっては、予め布製筒カバー４０を第一開口２１よりも後方にスライドさせておき、陰茎が第一開口２１から前方（第二開口２３）に向かうように、陰茎保持筒２０の第一開口２１を広げながら陰茎保持筒２０を陰茎に被せる。
【００３３】
挿入後、上述したように適宜陰茎の位置を調整する。陰茎保持筒２０から陰茎が抜けないようにしっかり保持するため、亀頭全体が第二開口２３から露出するまで陰茎を筒内に挿入する。露出した亀頭が陰茎保持筒２０内に戻ろうとしても、カリ首が第二開口２３の周縁に引っ掛かって容易に戻ることができない。陰茎挿入後、後方にずらしていた布製筒カバー４０を前方にスライドさせ、第三開口２５から露出した亀頭全体を覆う位置へと移動させる。
【００３４】
前方上向きに保持する場合も上述した後方下向きに保持する場合と同様の作用効果を奏し、布製筒カバー４０により少量の尿等の体液を吸収することで、ズボン等の男性用下着１の外への漏れを防止することができる。
【００３５】
また、前方上向き保持の場合にも、陰茎を陰茎保持筒２０に保持したまま排尿を行うことができる。排尿を行う際には、陰茎をカバーしている布製筒カバー４０を後方に移動させて陰茎保持筒２０の第二開口２３から筒外に突出している亀頭を露出させる。この状態で、下着本体１０の前面を装着者の体から前方へ離す等すれば、亀頭が外に露出するためそのまま便器等に排尿することが可能である。
【００３６】
続いて、本実施形態の変形例１について説明する。図６は、本実施形態の変形例１に係る男性用下着の斜視図である。本変形例１に係る男性用下着２は、陰茎保持筒２０の下着本体１０への連結態様が上記実施形態と異なるが、その他の構成は上記実施形態と同様である。ここでは、主として上記実施形態と異なる構成について説明し、同様の構成については説明を省略する。
【００３７】
図６に示すように、男性用下着２は、下着本体１０と、陰茎保持筒２０と、布製筒カバー４０と、ガーターボストン６０とを備えている。ガーターボストン６０は、陰茎保持筒２０を下着本体１０に連結固定するための連結部材として機能し、本変形例１では、陰茎保持筒２０の前端のみを下着本体１０の前面上部に着脱可能に連結する。
【００３８】
陰茎保持筒２０の後端は、上記実施形態と同様に、下着本体１０の後面中央付近に縫い付け固定されている。本変形例１によっても、上記実施形態と同様の作用効果を奏すると共に、さらに、陰茎保持筒２０の前端を下着本体１０から外すことで、布製筒カバー４０を取り外すことができ、布製筒カバー４０の交換が可能となる。
【００３９】
布製筒カバー４０が尿を吸収して濡れた場合や、繰り返しの使用により布製筒カバー４０が汚れた場合には、布製筒カバー４０を新しいもの（洗って乾燥させたものも含む）に交換するのが望ましいが、本変形例１によれば、容易に布製筒カバー４０を交換することができ、布製筒カバー４０を常に清潔に保つことが可能である。
【００４０】
続いて、本実施形態の変形例２について説明する。図７は、本実施形態の変形例２に係る男性用下着の斜視図である。本変形例２に係る男性用下着３は、上記変形例１と同様に、陰茎保持筒２０の下着本体１０への連結態様が上記実施形態と異なるが、その他の構成は上記実施形態と同様である。ここでは、主として上記実施形態と異なる構成について説明し、同様の構成については説明を省略する。
【００４１】
図７に示すように、男性用下着３は、下着本体１０と、陰茎保持筒２０と、布製筒カバー４０と、ガーターボストン６０とを備えている。ガーターボストン６０は、陰茎保持筒２０を下着本体１０に着脱可能に連結固定するための連結部材として機能し、本変形例２では、陰茎保持筒２０の前端を下着本体１０の前面上部に、後端を下着本体１０の後面上部に着脱可能に連結する。
【００４２】
本変形例２によっても、上記実施形態と同様の作用効果を奏すると共に、陰茎保持筒２０の前端及び後端をそれぞれ独立して下着本体１０に対して着脱可能であり、上記変形例１と同様に、布製筒カバー４０を容易に交換することができため、布製筒カバー４０を常に清潔に保つことが可能である。
【００４３】
また、本変形例２によれば、陰茎保持筒２０自体を下着本体１０から着脱可能であり、陰茎保持筒２０を交換したり、下着本体１０を交換したりすることで、より清潔さを保つことも可能である。
【００４４】
以上、変形例も含めて本発明の実施形態について説明したが、本発明の実施の形態は上記実施形態に限定されるものではなく、本発明の主旨を逸脱しない範囲内で種々の変形が可能である。例えば、男性用下着を構成する部材の材料や形状、サイズ等は適宜変更可能である。
【００４５】
また、上記実施形態では、陰茎保持筒は、陰茎の挿入口である第一開口に加えて、前方上向き用の陰茎出口である第二開口及び後方下向き用の陰茎出口である第三開口の双方を備えているが、第二開口と第三開口との少なくとも何れか一方を備えていれば良い。
【００４６】
例えば、陰茎の前方上向き保持に機能を限定した男性用下着であれば、第一開口及び第二開口のみを備えていれば良く、陰茎の後方下向き保持に機能を限定した男性用下着であれば、第一開口及び第三開口のみを備えていれば良い。
【００４７】
また、布製筒カバーは、変形例１，２のように交換可能な場合には、紙おむつやナプキンに用いられている不織布等の素材を用いて、吸収量をより多くするようにし、使い捨てにしても良い。この場合、布製カバー筒の内側に透水性布、外側に非透水性布、これらの間に吸収材を設置し、外への漏れを確実に防止するようにしても良い。
【符号の説明】
【００４８】
１，２，３  男性用下着
１０        下着本体
２０        陰茎保持筒
２１        第一開口（陰茎挿入口）
２３        第二開口（上向き露出口）
２５        第三開口（下向き露出口）
４０        布製筒カバー
６０        ガーターボストン
【図１】
2018145565.tif 000003
【図２】
2018145565.tif 000004
【図３】
2018145565.tif 000005
【図４】
2018145565.tif 000006
【図５】
2018145565.tif 000007
【図６】
2018145565.tif 000008
【図７】
2018145565.tif 000009